(57)【要約】【課題】気候、天候等の環境変化および室内空間の大きさ、室内を形成する材質の違いに影響されず衣類の乾燥状態を精度高く推定し、未乾燥、過剰乾燥運転を防ぎ、適切に乾燥運転を行うことを目的とする。【解決手段】浴室内温度と衣類温度を非接触で検出する温度検出手段１３とを備えた浴室換気乾燥装置であって、浴室内温度と衣類温度との温度差から衣類の存在を判断し、衣類の存在を検知した場合に前記温度差の推移から衣類の乾燥度合いを算出し、衣類の自動乾燥を行うよう換気用送風機５、循環用送風機８、加熱手段９、風向可変手段１０を制御する。【選択図】図１
2009183588.tif 000002
【特許請求の範囲】
【請求項１】
浴室内の空気を屋外へ排出する換気手段と、浴室内の空気を循環する循環手段と、循環空気を加熱する加熱手段と、浴室内へ送風する循環空気の送風角度を調節する風向可変手段と、浴室内温度あるいは浴室内に配置されている衣類温度の温度分布を計測する複数の温度検出素子をアレイ状に配列した温度検出手段とを備えた浴室換気乾燥装置であって、前記温度検出手段により検出された浴室内温度と衣類温度との温度差から衣類の存在を判断し、衣類の存在を検知した場合に前記温度差の推移から衣類の乾燥度合いを算出し、衣類の自動乾燥を行うよう前記換気手段、前記循環手段、前記加熱手段および前記風向可変手段を制御することを特徴とする浴室換気乾燥装置。
【請求項２】
温度検出手段は赤外線を検出することを特徴とする請求項１に記載の浴室換気乾燥装置。
【請求項３】
温度検出手段は回転角度、回転速度および回転方向を制御可能としたモータにより駆動することを特徴とする請求項１または２のいずれかに記載の浴室換気乾燥装置。
【請求項４】
温度検出手段により検出された浴室内温度と衣類温度との温度差が所定値以下になった場合、衣類が乾燥状態であると判断し、前記加熱手段の停止制御を行うことを特徴とする請求項１〜３のいずれかに記載の浴室換気乾燥装置。
【請求項５】
温度検出手段により検出された浴室内温度と衣類温度との温度差が所定値以下になった場合、衣類が乾燥状態であると判断し前記加熱手段の停止制御を行うとともに、所定時間換気手段もしくは循環手段のいずれかを駆動することを特徴とする請求項１〜３のいずれかに記載の浴室換気乾燥装置。
【請求項６】
温度検出手段により検出された衣類温度が浴室内温度を超えて所定値以上になった場合、異常状態であると判断し、前記換気手段、前記循環手段および前記加熱手段を停止制御することを特徴とする請求項１〜３のいずれかに記載の浴室換気乾燥装置。
【請求項７】
本体を天井に設置し、温度検出手段は本体設置面から下方５度〜４５度の範囲であって、且つ洗い場方向の温度から浴室内温度を算出することを特徴とする請求項３に記載の浴室換気乾燥装置。
【請求項８】
本体を壁面に設置し、温度検出手段は本体設置面から上方５度〜４５度の範囲の温度から浴室内温度を算出することを特徴とする請求項３に記載の浴室換気乾燥装置。
【請求項９】
温度検出手段は回転角度、回転速度および回転方向を制御可能としたモータにより駆動され、前記温度検出手段により検出された浴室内温度と衣類温度との温度差から衣類の存在するエリアを特定し、衣類が存在するエリアに限定して循環空気を送風するように風向可変手段を制御することを特徴とする請求項１〜８のいずれかに記載の浴室換気乾燥装置。
【請求項１０】
乾燥終了を報知する報知手段を備えたことを特徴とする請求項１〜５のいずれか、または７〜９のいずれかに記載の浴室換気乾燥装置。
【発明の詳細な説明】
【技術分野】
【０００１】
本発明は、主に一般家庭における浴室内の暖房、換気、および室内もしくは室内に干した衣類を乾燥させる浴室換気乾燥機に関する。
【背景技術】
【０００２】
近年、浴室の天井に取り付けて浴室内の暖房や換気を行うとともに、浴室内に吊した洗濯後の衣類を乾燥できる浴室換気乾燥装置が普及してきている。
【０００３】
従来、この種の浴室換気乾燥装置の衣類乾燥制御方式については、浴室内空気を循環させて加熱した循環風を衣類に吹きつけ乾燥させるとともに、浴室内の湿った空気を換気排出する構成であって、浴室内空気の相対湿度を検出するために浴室内空気の循環吸い込み部近傍に湿度センサーを備え、浴室内空気の相対湿度の変化推移によって衣類が乾燥したかどうかを判断し、自動停止するものが知られている（例えば特許文献１）。
【特許文献１】特開２００２−２２１３８８号公報
【発明の開示】
【発明が解決しようとする課題】
【０００４】
このような従来の浴室乾燥装置では、浴室内空気を屋外へ排出する換気運転と浴室内空気を暖めながら循環させる暖房運転とを同時に行うことにより浴室を乾燥させ、浴室空気の乾燥度合いでもって衣類の乾燥状態を推測しているわけであるが、換気運転をすることにより浴室扉のガラリより浴室以外の部屋から空気が侵入し、その流入空気の温湿度の状態によって乾燥時間は大きく影響され、例えば流入空気の湿度が高い場合は衣類が乾燥しているにもかかわらずヒータを通電しつづけ、必要以上に電力を消費するという課題があった。
【０００５】
また、浴室内の衣類の吊るし方や吊るす位置によって、例えば衣類が重なりあって配列されていたり、また浴室壁面側に配列されていた場合などは送風空気が衣類に届きにくい箇所がまばらに存在することとなり、結果的に衣類に乾燥むらが生じやすいという課題があった。
【０００６】
本発明は、このような従来の課題を解決するものであり、気候、天候等の環境変化に柔軟に対応し、室内空間の大きさ、室内を形成する材質の違いに影響されずに衣類の乾燥状態を精度高く推定し、必要最低限の少ない消費電力で衣類を乾燥させることができる浴室換気乾燥装置を提供することを目的としている。
【０００７】
また、衣類の乾燥ムラも低減しながら最適な衣類乾燥を行うことができる浴室換気乾燥装置を提供することを目的としている。
【課題を解決するための手段】
【０００８】
上記課題を解決するために本発明の浴室換気乾燥装置は、浴室内の空気を屋外へ排出する換気手段と、浴室内の空気を循環する循環手段と、循環空気を加熱する加熱手段と、浴室内へ送風する循環空気の送風角度を調節する風向可変手段と、浴室内温度あるいは浴室内に配置されている衣類温度の温度分布を計測する複数の温度検出素子をアレイ状に配列した温度検出手段とを備えた浴室換気乾燥装置であって、前記温度検出手段により検出された浴室内温度と衣類温度との温度差から衣類の存在を判断し、衣類の存在を検知した場合に前記温度差の推移から衣類の乾燥度合いを算出し、衣類の自動乾燥を行うよう前記換気手段、前記循環手段、前記加熱手段および前記風向可変手段を制御する構成としたものである。
【０００９】
また、温度検出手段は赤外線を検出する構成としたものである。
【００１０】
また、温度検出手段は回転角度、回転速度および回転方向を制御可能としたモータにより駆動する構成としたものである。
【００１１】
また、温度検出手段により検出された浴室内温度と衣類温度との温度差が所定値以下になった場合、衣類が乾燥状態であると判断し、前記加熱手段の停止制御を行う構成としたものである。
【００１２】
また、温度検出手段により検出された浴室内温度と衣類温度との温度差が所定値以下になった場合、衣類が乾燥状態であると判断し、前記加熱手段の停止制御を行うとともに、所定時間換気手段もしくは循環手段のいずれかを駆動する構成としたものである。
【００１３】
また、温度検出手段により検出された衣類温度が浴室内温度を超えて所定値以上になった場合、異常状態であると判断し、前記換気手段、前記循環手段および前記加熱手段を停止制御する構成としたものである。
【００１４】
また、本体を天井に設置し、温度検出手段は本体設置面から下方５度〜４５度の範囲であって、且つ洗い場方向の温度から浴室内温度を算出する構成としたものである。
【００１５】
また、本体を壁面に設置し、温度検出手段は本体設置面から上方５度〜４５度の範囲の温度から浴室内温度を算出する構成としたものである。
【００１６】
また、温度検出手段は回転角度、回転速度および回転方向を制御可能としたモータにより駆動され、温度検出手段により検出された浴室内温度と衣類温度との温度差から衣類の存在するエリアを特定し、衣類が存在するエリアに限定して循環空気を送風するように風向可変手段を制御する構成としたものである。
【００１７】
また、乾燥終了を報知する報知手段を備えた構成としたものである。
【発明の効果】
【００１８】
本発明によれば、浴室内の空気を屋外へ排出する換気手段と、浴室内の空気を循環する循環手段と、循環空気を加熱する加熱手段と、浴室内へ送風する循環空気の送風角度を調節する風向可変手段と、浴室内温度あるいは浴室内に配置されている衣類温度の温度分布を計測する複数の温度検出素子をアレイ状に配列した温度検出手段とを備えた浴室換気乾燥装置であって、前記温度検出手段により検出された浴室内温度と衣類温度との温度差から衣類の存在を判断し、衣類の存在を検知した場合に前記温度差の推移から衣類の乾燥度合いを算出し、衣類の自動乾燥を行うよう前記換気手段、前記循環手段、前記加熱手段および前記風向可変手段を制御する構成としたので、被乾燥物である衣類の表面温度を直接検出し乾燥度合いを判断することができ、気候、天候等の環境変化に柔軟に対応し、室内空間の大きさ、室内を形成する材質の違いに影響されずに衣類の乾燥状態を精度高く推定し、必要最低限の少ない消費電力で過剰乾燥を防止できる効果のある浴室換気乾燥装置を提供することができる。
【００１９】
また、本発明によれば、温度検出手段は赤外線を検出する構成としたので、浴室内の温度の推移から衣類の乾燥度合いを推測するのではなく、被乾燥物である衣類の表面温度を直接検出することでき、乾燥度合いを正確に判断することが可能となり、必要最低限の少ない消費電力で過剰乾燥を防止できる効果のある浴室換気乾燥装置を提供することができる。
【００２０】
また、本発明によれば、温度検出手段は回転角度、回転速度および回転方向を制御可能としたモータにより駆動する構成としたので、被温度検出エリアを自在に可変でき、広範囲に配置された被乾燥物である衣類の温度分布を詳細に検出することができる効果のある浴室換気乾燥装置を提供することができる。
【００２１】
また、本発明によれば、温度検出手段により検出された浴室内温度と衣類温度との温度差が所定値以下になった場合、衣類が乾燥状態であると判断し、前記加熱手段の停止制御を行う構成としたので、浴室内の温度条件だけではなく被乾燥物である衣類の表面温度の推移によって乾燥度合いを判断でき、必要最低限の少ない消費電力で過剰乾燥を防止できる効果のある浴室換気乾燥装置を提供することができる。
【００２２】
また、本発明によれば、温度検出手段により検出された浴室内温度と衣類温度との温度差が所定値以下になった場合、衣類が乾燥状態であると判断し、前記加熱手段の停止制御を行うとともに、所定時間換気手段もしくは循環手段のいずれかを駆動する構成としたので、必要最低限の少ない消費電力で過剰乾燥を防止するとともに、乾燥終了後の浴室内の熱気を排出することで以降即座に入浴した場合の熱気による不快感を防止できる効果のある浴室換気乾燥装置を提供することができる。
【００２３】
また、本発明によれば、温度検出手段により検出された衣類温度が浴室内温度を超えて所定値以上になった場合、異常状態であると判断し、前記換気手段、前記循環手段および前記加熱手段を停止制御する構成としたので、被乾燥物である衣類が誤って浴室換気乾燥装置本体の近くに配置され、乾燥時の高温熱風により衣類が必要以上の高温になると即座に高温を検知し製品動作を停止でき、必要以上に衣類を高温にさらすことなく乾燥させることができるという効果のある浴室換気乾燥装置を提供することができる。
【００２４】
また、本発明によれば、本体を天井に設置し、温度検出手段は本体設置面から下方５度〜４５度の範囲であって、且つ洗い場方向の温度から浴室内温度を算出する構成としたので、天井設置型の浴室換気乾燥装置においては、衣類衣類吊り下げ用器具の上方エリアの温度、つまりは衣類温度と誤認識しないエリアを浴室内温度として認識することができ、被乾燥物である衣類温度との正確な相対比較が可能となり、乾燥度合いの誤認識を防止できる効果のある浴室換気乾燥装置を提供することができる。
【００２５】
また、本発明によれば、本体を壁面に設置し、温度検出手段は本体設置面から上方５度〜４５度の範囲の温度から浴室内温度を算出する構成としたので、側面壁設置型の浴室換気乾燥装置においては、衣類衣類吊り下げ用器具の上方エリアの温度、つまりは衣類温度と誤認識しないエリアを浴室内温度として認識することで、衣類温度との正確な相対比較が可能となり、乾燥度合いの誤認識を防止できる効果のある浴室換気乾燥装置を提供することができる。
【００２６】
また、本発明によれば、温度検出手段は回転角度、回転速度および回転方向を制御可能としたモータにより駆動され、温度検出手段により検出された浴室内温度と衣類温度との温度差から衣類の存在するエリアを特定し、衣類が存在するエリアに限定して循環空気を送風するように風向可変手段を制御する構成としたので、広範囲に被乾燥物である衣類が配置された場合でも衣類が存在するエリアに限定して送風することで乾燥時間の短縮を図ることができ、衣類の乾燥ムラを低減するとともに必要最低限の少ない消費電力で過剰乾燥を防止できる効果のある浴室換気乾燥装置を提供することができる。
【００２７】
また、本発明によれば、乾燥終了を報知する報知手段を備えた構成としたので、使用者が乾燥終了を容易に認識することができ、乾燥終了後の衣類の長時間放置を防止できる効果のある浴室換気乾燥装置を提供することができる。
【発明を実施するための最良の形態】
【００２８】
本発明の請求項１記載の発明は、浴室内の空気を屋外へ排出する換気手段と、浴室内の空気を循環する循環手段と、循環空気を加熱する加熱手段と、浴室内へ送風する循環空気の送風角度を調節する風向可変手段と、浴室内温度あるいは浴室内に配置されている衣類温度の温度分布を計測する複数の温度検出素子をアレイ状に配列した温度検出手段とを備えた浴室換気乾燥装置であって、前記温度検出手段により検出された浴室内温度と衣類温度との温度差から衣類の存在を判断し、衣類の存在を検知した場合に前記温度差の推移から衣類の乾燥度合いを算出し、衣類の自動乾燥を行うよう前記換気手段、前記循環手段、前記加熱手段および前記風向可変手段を制御する構成としたものであり、被乾燥物である衣類の表面温度を直接検出し乾燥度合いを判断することができ、気候、天候等の環境変化に柔軟に対応し、室内空間の大きさ、室内を形成する材質の違いに影響されずに衣類の乾燥状態を精度高く推定し、必要最低限の少ない消費電力で過剰乾燥を防止できるという作用を有する。
【００２９】
また、温度検出手段は赤外線を検出する構成としたので、浴室内の温度の推移から衣類の乾燥度合いを推測するのではなく、被乾燥物である衣類の表面温度を直接検出することができ、乾燥度合いを正確に判断することが可能となり、必要最低限の少ない消費電力で過剰乾燥を防止できるという作用を有する。
【００３０】
また、温度検出手段は回転角度、回転速度および回転方向を制御可能としたモータにより駆動する構成としたので、被温度検出エリアを自在に可変でき、広範囲に配置された被乾燥物である衣類の温度分布を詳細に検出することができるという作用を有する。
【００３１】
また、温度検出手段により検出された浴室内温度と衣類温度との温度差が所定値以下になった場合、衣類が乾燥状態であると判断し、前記加熱手段の停止制御を行う構成としたので、浴室内の温度条件だけではなく被乾燥物である衣類の表面温度の推移によって乾燥度合いを判断でき、必要最低限の少ない消費電力で過剰乾燥を防止できるという作用を有する。
【００３２】
また、温度検出手段により検出された浴室内温度と衣類温度との温度差が所定値以下になった場合、衣類が乾燥状態であると判断し、前記加熱手段の停止制御を行うとともに、所定時間換気手段もしくは循環手段のいずれかを駆動する構成としたので、乾燥終了後の浴室内の熱気を排出でき、以降即座に入浴した場合でも入室時の熱気による不快感を防止できるという作用を有する。
【００３３】
また、温度検出手段により検出された衣類温度が浴室内温度を超えて所定値以上になった場合、異常状態であると判断し、前記換気手段、前記循環手段および前記加熱手段を停止制御する構成としたので、被乾燥物である衣類が誤って浴室換気乾燥装置本体の近くに配置され、乾燥時の高温熱風により衣類が必要以上の高温になると即座に高温を検知し製品動作を停止でき、必要以上に衣類を高温にさらすことなく乾燥させることができるという作用を有する。
【００３４】
また、本体を天井に設置し、温度検出手段は本体設置面から下方５度〜４５度の範囲であって、且つ洗い場方向の温度から浴室内温度を算出する構成としたので、天井設置型の浴室換気乾燥装置においては、衣類衣類吊り下げ用器具の上方エリアの温度、つまりは衣類温度と誤認識しないエリアを浴室内温度として認識することができ、衣類温度との正確な相対比較が可能となり、乾燥度合いの誤認識を防止できるという作用を有する。
【００３５】
また、本体を壁面に設置し、温度検出手段は本体設置面から上方５度〜４５度の範囲の温度から浴室内温度を算出する構成としたので、側壁面設置型の浴室換気乾燥装置においては、衣類衣類吊り下げ用器具の上方エリアの温度、つまりは衣類温度と誤認識しないエリアを浴室内温度として認識することで、被乾燥物である衣類温度との正確な相対比較が可能となり、乾燥度合いの誤認識を防止できるという作用を有する。
【００３６】
また、温度検出手段は回転角度、回転速度および回転方向を制御可能としたモータにより駆動され、温度検出手段が浴室内温度と衣類温度との温度差から衣類の存在するエリアを特定し、衣類が存在するエリアに限定して循環空気を送風するように風向可変手段を制御する構成としたので、広範囲に被乾燥物である衣類が配置された場合でも衣類が存在するエリアに限定して送風することで乾燥時間の短縮を図ることができ、衣類の乾燥ムラを低減するとともに必要最低限の少ない消費電力で過剰乾燥を防止できるという作用を有する。
【００３７】
また、乾燥終了を報知する報知手段を備えた構成としたので、使用者が乾燥終了を容易に認識することができるため、乾燥終了後の衣類の長時間放置を防止できるという作用を有する。
【００３８】
以下、本発明の実施の形態について図１〜図３を参照しながら説明する。
【００３９】
（実施の形態１）
図１に示すように、天井設置型の浴室換気乾燥装置の本体は、浴室１の天井面に開口し、天井裏面に浴室換気乾燥装置２を配置し、浴室換気乾燥装置２内には、浴室１と連通する換気用吸込口３から室外と連通する換気用吐出口４へと浴室内空気を強制的に排気する換気手段としての換気用送風機５と、浴室内空気を浴室１と連通する循環用吸込口６から浴室１に連通する循環用吐出口７へと循環させる循環手段としての循環用送風機８と、循環用空気を加熱するために前記循環用吸気口６と循環用吐出口７を浴室換気乾燥装置２内で連通させる循環空気通風路に設けられた加熱手段９とが構成されている。加熱手段９としてはハロゲンヒーター、カーボンヒーター、シーズヒーター、ＰＴＣヒーターなどが用いられる。
【００４０】
循環用吐出口７の近傍には循環用空気を浴室１内へ送風する際の送風角度を調整するための風向可変手段１０が備えられており、この風向可変手段１０はモータ１１、例えば回転角度、回転速度、回転方向などを自在に制御するステッピングモータと、金属もしくは浴室１内へ送風する温風の耐熱温度に耐えうる樹脂成形品で成型した風向ルーバ１７で構成される。
【００４１】
また、遠隔箇所の温度、詳しくは浴室１内の温度と浴室１内の吊り下げパイプなどに吊り下げられた被乾燥物である衣類１２の温度を非接触で計測できる温度検出手段１３を浴室換気乾燥装置２の浴室１側の温度を計測できるよう風向可変手段１０に一体で配置することにより、浴槽や洗い場を包含できる広角エリアの温度検出が可能となる。
【００４２】
温度検出手段１３としては、絶対零度以上の温度を持つ物体から発する波長０．７８〜１０００μｍの赤外線を受けると、そのエネルギー量に応じた熱起電力を発生させることで温度の絶対量を取得可能なサーモパイルが挙げられる。
【００４３】
図２は浴室１を上方から見た図を示しており、これを用いて温度検出手段１３の視野角について説明する。
【００４４】
温度検出手段１３は８つの温度検出素子１３ａ〜１３ｈを水平方向横一列のアレイ状に配列し構成されている。温度検出素子１３ａ〜１３ｈは各々５°程度の円錐状の温度検出視野角を所持しており、各々の視野角が重複しないよう配列され、各々の視野角毎に検出温度を算出することができる。つまりは、浴室１内の吊り下げパイプなどに吊り下げられた被乾燥物である衣類１２の吊り下げ位置、例えば中央付近に固まっている、または全体に満遍なく吊り下げられている等、衣類１２の位置情報を検出することができる。ここで視野角を５°程度と記載したがこれに限定するものではなく、各々の温度検出視野角が重複しない範囲であれば良い。また、ここで８つの温度件検出素子を水平方向横一列に配列したが、数量は配列位置に制限はなく、広範囲に検出できる構成であれば良い。また、ここで注意しなければならないのは温度検出手段１３を風向可変手段１０に具備する場合、絶対零度以上の温度を持つ物体から発する赤外線を検出する温度検出手段１３の特性上、風向可変手段１０自体の温度を誤って検出しないよう配置することにも注意が必要である。
【００４５】
図３に本実施の形態を実現する制御ブロック図を示す。浴室換気乾燥装置２内に、換気用送風機５、循環用送風機８、加熱手段９、風向可変手段１０を駆動制御し、温度検出手段１３内に配列された複数の温度検出素子１３ａ〜１３ｈ各々から取得した温度データを演算処理するＣＰＵからなる制御部１４が備えられている。
【００４６】
制御部１４は、浴室換気乾燥装置２の運転を設定するために浴室１の内部または外部の壁に設けられた操作部１５からの入力信号により、換気用送風機５、循環用送風機８、加熱手段９、風向可変手段１０を制御し、『換気』、『循環送風』、『暖房』、『乾燥』など複数の条件の異なる浴室空間を作り出す。操作部１５は運転モードを設定する操作スイッチと、運転モードを表示するためのＬＥＤやＬＣＤ等から構成される。
【００４７】
制御部１４と操作部１５は有線接続され信号伝達を行うものであるがこれに限定するものではなく、赤外線や電波などを用いた無線式の信号伝達方式でも良い。
【００４８】
上記構成において、図４に示す動作フロー図、図５に示す風向可変手段１０の通電角度図、および図６に示す浴室内温度と衣類温度の推移図を用いて説明する。
【００４９】
使用者が操作部１５を操作し乾燥モードを選択すると乾燥運転を開始する。まずＳＴＥＰ１にて循環空気の通風路を確保するためにモータ１１を駆動することで風向可変手段１０を開状態とし、ＳＴＥＰ２、ＳＴＥＰ３にて換気用送風機５、循環用送風機８、加熱手段９を順次駆動させ循環温風を形成する。風向可変手段１０の回転角度θ１は、本体設置面すなわち天井面に対して下方約５度〜４５度の範囲内で且つ洗い場方向の範囲になるように制御部１４により位置決定される。天井設置型の浴室換気乾燥装置２は浴槽上部に設置され、また衣類吊り下げ可能エリアも浴槽の上部近傍になるよう施工されるのが一般的である。よって、ここでは回転角度θ１＞４５度以上にすると衣類１２の吊り下げ可能エリアと重複する可能性が極めて高くなる。したがって、本体設置面に対して下方約５度〜４５度の範囲内は衣類を吊り下げ内エリアとして回転角度を限定することができる。
【００５０】
次にＳＴＥＰ４にて衣類１２の吊り下げ可能エリアを除く５度≦θ１≦４５度の範囲で風向可変手段１０を固定している状態で浴室内温度Ｔａを算出する。浴室内温度Ｔａの算出方法については、例えば約１分間で温度検出素子１３ａ〜１３ｈの各々の温度データを複数回サンプリングし、この複数の取得温度データの平均により算出する方法などがあり、算出演算した温度は浴室内温度Ｔａとして制御部１４にデータ保管される。ここで、風向可変手段１０を固定している状態で浴室内温度Ｔａを算出しているがこれに限定するものではなく、例えば風向可変手段１０を５度≦θ１≦４５の範囲内でスイングさせて、複数の角度において複数の温度データをサンプリングし浴室内温度Ｔａを算出することで更に温度検出精度を高めることができる。
【００５１】
次にＳＴＥＰ５にて衣類１２の有無を判断するために、モータ１１を駆動し風向可変手段１０の回転角度を本体設置面に対して下方に４５度以上の範囲内で且つ洗い場方向の洗濯後の衣類が吊るされることが想定される範囲になるように通電角を制御する。
【００５２】
次にＳＴＥＰ６にて温度検出手段１３の温度データを取得し衣類温度Ｔｃを算出する。衣類温度Ｔｃの算出については、計測開始から約１分間に温度検出素子１３ａ〜１３ｈの各々の温度データを取得し、その取得した複数のデータの平均により衣類温度Ｔｃを決定する。通常、洗濯後の衣類を浴室１内に吊り下げた状態で衣類１２に温風もしくは循環送風を吹き付けた場合、衣類温度は水分を吸着しているために浴室内温度よりも低くなる。この衣類温度の低下は気化熱が奪われるに起因する。このことに着目し、前回算出した浴室内温度Ｔａと衣類温度Ｔｃの比較演算を行い、Ｔａ＞Ｔｃであった場合は衣類１２が存在していると判断する。Ｔａ＞Ｔｃの条件を満たさない場合、つまりはＴａ＝ＴｃもしくはＴａ＜Ｔｃの場合は水分を吸着した衣類が存在していないと判断して、制御部１４にあらかじめ設定された固定時間でＳＴＥＰ１０のタイマー運転を行う。
【００５３】
先に衣類が存在したと判断したが、外気温度の変動や温度検出手段１３の故障などを考慮し、ＳＴＥＰ８にて衣類１２の存在識別精度を高める処理を行う。浴室内温度Ｔａと衣類温度Ｔｃの温度差をＴｘとし、０度＜Ｔｘ＜１度もしくは、５度＜Ｔｘの範囲内であれば温度検出手段１３の測定誤差や誤認識と判断して先に示したＳＴＥＰ１０のタイマー運転を行う。１度≦Ｔｘ＜５度の範囲内であれば水分を吸着した衣類が確実に存在していると判断し次のステップに移行する。なお、前記Ｔｘの範囲は、通常洗濯後脱水処理をされた衣類の場合、所定の範囲になることを実験により明確にしたものである。
【００５４】
図６に示すように、浴室１内で温風が循環することによって浴室内温度Ｔａの上昇に伴い衣類温度Ｔｃも上昇する。ここで一定時間後の浴室内温度をＴａ´、衣類温度をＴｃ´、温度差をＴｘ´とすると、Ｔａ＜Ｔａ´、Ｔｃ＜Ｔｃ´、Ｔｘ＞Ｔｘ´の関係が成立し、以降Ｔｘ´は０に近づき、Ｔａ´とＴｃ´は温度平衡状態となる。制御部１４は風向可変手段１０の回転角度θ１の範囲内になるようモータ１１を制御しＴａ´を計測し、また風向可変手段１０の回転角度θ１以外の範囲内になるよう制御しＴｃ´を一定時間周期で交互に計測する。このＴａ´とＴｃ´の温度推移を制御部１４は常時監視し、温度平衡状態となったとき衣類１２が乾燥したと判断して加熱手段９の停止制御を行う。ここで加熱手段９を停止させると浴室換気乾燥装置２内部への残熱の影響が懸念されるため、冷却効果として循環用送風機８の運転は約１分程度継続する。冷却運転終了後、循環用送風機８の停止制御と同時に換気用送風機５を停止させても良いが、さらに、浴室内の残熱を屋外へ排出し、残熱を排出できる最低限の時間として、例えば５〜１０分程度は換気用送風機５を遅延運転させることで、使用者が衣類１２を取り込むために浴室１へ入室した際の残熱による不快感を防止することができる。
【００５５】
このように本発明は、浴室内温度と被乾燥物である衣類温度を非接触で監視し、その温度推移によって衣類の乾燥度合いを判断するので、被乾燥物である衣類の表面温度を直接検出し乾燥度合いを判断することができ、気候、天候等の環境変化に柔軟に対応し、室内空間の大きさ、室内を形成する材質の違いに影響されずに衣類の乾燥状態を精度高く推定し、必要最低限の少ない消費電力で過剰乾燥を防止できる浴室換気乾燥装置を提供することができる。
【００５６】
次に、異常状態を判断する実施の形態を図７に示す浴室内温度と衣類温度の推移図を用いて説明する。ここですでに説明をした構成と同一部分は、同一符号を附し、詳細な説明は省略する。
【００５７】
浴室１内で温風が循環することによって浴室内温度Ｔａの上昇に伴い衣類温度Ｔｃも上昇し、ＴａとＴｃの温度差Ｔｘは変化する。ここで一定時間後の浴室内温度をＴａ´、衣類温度をＴｃ´、温度差をＴｘ´とすると、Ｔａ＜Ｔａ´、Ｔｃ＜Ｔｃ´、Ｔｘ＜Ｔｘ´の関係が成立し、Ｔｘ´がある所定値以上となった場合は何らかの理由によって衣類が必要以上に加熱されていると制御部１４が判断し、換気用送風機５、循環用送風機８、加熱手段９を即座に停止制御する。所定値とは衣類の異常加熱を確実に判断できる温度、例えば５０度以上と設定することができる。
【００５８】
このように本発明は、温度検出手段は衣類温度が浴室内温度を超えて所定値以上になった場合、異常状態であると判断して換気手段、循環手段、加熱手段を停止制御する構成としたので、被乾燥物である衣類が誤って浴室換気乾燥装置本体の近くに配置され、乾燥時の高温熱風により衣類が必要以上の高温になると即座に高温を検知し製品動作を停止でき、必要以上に衣類を高温にさらすことなく乾燥させることができる浴室換気乾燥装置を提供することができる。
【００５９】
（実施の形態２）
また別の実施の形態として、図８に示す側壁面設置型の浴室換気乾燥装置、すなわち壁掛けタイプの浴室換気乾燥装置の設置例を用いて説明する。壁掛けタイプは、浴室換気乾燥装置から見て衣類が吊り下げられる位置関係が異なるため以下のような構成を特徴とする。
【００６０】
ここで実施の形態１と同一部分は同一番号を附し、詳細な説明は省略する。
【００６１】
本体は、浴室の壁であって天井に近い上方に設置されるもので、本体設置面は浴室の壁面となり、被乾燥物の衣類は、本体よりも低い位置で浴室の床面から手の届く位置に吊り下げられることから、図中の垂直方向の上方を基準として、風向可変手段１０の回転角度θ２は、前記本体設置面に対して上方約５度〜４５度の範囲内で且つ洗い場方向の範囲になるように制御部１４により位置決定される。ここで、回転角度θ２＞４５度以上となると衣類の吊り下げ可能エリアと重複する可能性が極めて高いため、あえて回転角度を限定する。
【００６２】
次に衣類１２の吊り下げ可能エリア以外の５度≦θ２≦４５の範囲で風向可変手段１０を固定している状態で浴室内温度Ｔａを算出する。Ｔａの算出方法および以降の動作フローに関しては実施の形態１と同様である。
【００６３】
このように本発明は、温度検出手段は本体設置面から上方５度〜４５度の範囲の温度から浴室内温度を算出する構成としたので、側面壁設置型の浴室換気乾燥装置においては、衣類衣類吊り下げ用器具の上方エリアの温度、つまりは衣類温度と誤認識しないエリアを浴室内温度として認識することで、衣類温度との正確な相対比較が可能となり、乾燥度合いの誤認識を防止でき、乾燥度合いの判断精度を高めた浴室換気乾燥装置を提供することができる。
【００６４】
（実施の形態３）
また別の実施の形態として、図９に示す浴室内温度と衣類温度の推移図と図１０に示す動作フロー図を用いて説明する。本実施の形態は、衣類が吊り下げられているエリアを特定する構成が他の実施の形態と異なる。そして、実施の形態１や２と同一構成は同一符号を附し、詳細な説明は省略する。
【００６５】
使用者が操作部１５を操作し乾燥モードを選択すると乾燥運転を開始する。まず循環空気の通風路を確保するためにモータ１１を駆動することで風向可変手段１０を開状態とし、換気用送風機５、循環用送風機８、加熱手段９を順次駆動させ循環温風を形成する。風向可変手段１０の回転角度θ１を本体設置面に対して下方約５度〜４５度の範囲内で且つ洗い場方向の範囲になるように制御し、５度≦θ１≦４５度の範囲で風向可変手段１０を固定している状態で浴室内温度Ｔａを算出する。
【００６６】
次に衣類の有無および衣類が吊り下げられているエリアを特定する処理を行う。モータ１１を駆動し風向可変手段１０が本体設置面に対して下方４５度以上の範囲内で且つ洗い場方向の範囲になる回転角度θ４になるように通電角を制御する。この回転角度θ４の範囲内で例えば回転角度約５度づつ駆動し、各回転角度毎に複数の温度検出素子１３ａ〜１３ｈから温度データを取得する。そして、取得した温度データの平均値から各回転角度毎に衣類温度Ｔｃ１、Ｔｃ２、Ｔｃ３・・・を算出する。そして、これら測定した複数のＴｃｘの温度データと先に計測した浴室内温度Ｔａの比較演算を行い、Ｔａ＞Ｔｃｘとなる回転角度θ５を導き出す。この回転角度θ５の範囲内に衣類１２が存在することとなり、このエリアに限定して循環温風を吹き付けるように制御する。以降の衣類乾燥判定方法および動作フローは実施の形態１と同様である。
【００６７】
このように本発明は、温度検出手段は回転角度、回転速度、回転方向を制御可能としたモータ１１により駆動され、衣類の存在するエリアを特定し衣類が存在するエリアに限定して循環空気を送風するように風向可変手段１０を制御する構成としたので、衣類が存在するエリアに限定して送風することで乾燥時間の短縮を図ることができ、衣類の乾燥ムラを低減するとともに必要最低限の少ない消費電力で過剰乾燥を防止する浴室換気乾燥装置を提供することができる。
【００６８】
（実施の形態４）
本実施の形態は、実施の形態１〜３の形態に対して、図１１に示すように操作部１５にブザーなどの発音体からなる報知手段１６を備え構成するものである。その他の構成は実施の形態１〜３と同様である。
【００６９】
上記構成において、衣類１２の乾燥運転が終了すると操作部１５内に備えられた報知手段１６を鳴動させ、使用者に乾燥運転終了をお知らせする。
【００７０】
このように本発明は、使用者に乾燥終了を報知する報知手段を備えた構成としたので、使用者が乾燥終了を容易に認識することができるため、乾燥終了後の衣類の長時間放置による衣類への水分再付着を防止できる。
【産業上の利用可能性】
【００７１】
本発明にかかる浴室換気乾燥装置は、適切な乾燥終了の推定を行うだけでなく、衣類乾燥にかかるランニングコストを抑えて乾燥効率を向上させるものであり、浴室用だけではなく衣類の乾燥を行う機器全般に適用できる。
【図面の簡単な説明】
【００７２】
【図１】本発明の実施の形態１の浴室換気乾燥装置と浴室の構成断面図
【図２】同実施の形態１の温度検出視野角を示す浴室上面図
【図３】同実施の形態１の制御ブロック図
【図４】同実施の形態１の動作フローチャート
【図５】同実施の形態１の浴室内温度検出時の動作を示す構成図
【図６】同実施の形態１の温度推移図
【図７】同実施の形態１における異常状態時の温度推移図
【図８】同発明の実施の形態２における浴室換気乾燥装置と浴室の構成断面図
【図９】同実施の形態３における風向可変手段の動作図
【図１０】同実施の形態３における動作フローチャート
【図１１】同実施の形態４における制御ブロック図
【符号の説明】
【００７３】
１    浴室
２    浴室換気乾燥装置
９    加熱手段
１０  風向可変手段
１１  モータ
１２  衣類
１３  温度検出手段
１６  報知手段
【図１】
2009183588.tif 000003
【図２】
2009183588.tif 000004
【図３】
2009183588.tif 000005
【図４】
2009183588.tif 000006
【図５】
2009183588.tif 000007
【図６】
2009183588.tif 000008
【図７】
2009183588.tif 000009
【図８】
2009183588.tif 000010
【図９】
2009183588.tif 000011
【図１０】
2009183588.tif 000012
【図１１】
2009183588.tif 000013